【手続補正書】
【提出日】平成23年4月6日(2011.4.6)
【手続補正１】
【補正対象書類名】特許請求の範囲
【補正対象項目名】全文
【補正方法】変更
【補正の内容】
【特許請求の範囲】
【請求項１】
スタート操作により数種類の図柄が表された複数のリールが回転を開始し、各リールに対応して設けられた停止ボタンの停止操作により回転する各リールが停止し、複数の有効ラインのうちの所定の有効ラインに沿って停止表示された各リールに表された図柄で構成される図柄の組合せに基づき遊技価値を付与するスロットマシンであって、
複数の抽せん対象から所定の抽せん確率に基づいてゲーム毎に内部抽せんを行い、抽せんされた当せん内容に対応した図柄の組合せを構成する図柄が停止操作のタイミングから所定の図柄コマ数内にある場合に、当せん内容に対応した図柄の組合せが停止表示されるように各リールを停止制御する停止制御手段と、
通常遊技、ボーナス遊技、及び遊技媒体を投入することなく次回遊技可能となる再遊技役が高確率で抽せんされる再遊技頻出遊技を含む複数の遊技状態に移行させるとともに、前記再遊技頻出遊技において、特定の図柄の組合せが停止表示された場合に、当該再遊技頻出遊技以外の遊技状態に移行させるゲーム管理手段と、
前記再遊技頻出遊技において抽せんされる抽せん対象であって、対応する図柄の組合せが停止表示されることにより所定の遊技価値が付与される一般役と、当該一般役と異なる他の役とに同時に当せんされる重複役が設定される抽せん対象設定手段と、を備え
前記一般役に対応する図柄の組合せを構成する各リールに表された図柄が、各リールにおいて複数配置されるとともに、前記一般役に対応する図柄の組合せが停止表示される場合において、同時に前記特定の図柄の組合せが停止表示されるように各リールにおける図柄が配置され、
前記停止制御手段が、前記重複役に当せんした場合において、前記一般役に対応する図柄の組合せが、前記一般役と異なる他の役に対応する図柄の組合せより、優先して停止表示されるように各リールを停止制御するとともに、前記一般役に対応する図柄の組合せと前記特定の図柄の組合せとが、前記複数の有効ラインにおいて各々異なる有効ラインに沿って同時に停止表示されるように各リールを停止制御することを特徴とするスロットマシン。
【請求項２】
前記特定の図柄の組合せを構成する図柄のうちの一部の図柄を、前記一般役に対応する図柄の組合せを構成する図柄と共通の図柄とした請求項１記載のスロットマシン。
【手続補正２】
【補正対象書類名】明細書
【補正対象項目名】００１７
【補正方法】変更
【補正の内容】
【００１７】
上記目的を達成するため、本発明のスロットマシンは、スタート操作により数種類の図柄が表された複数のリールが回転を開始し、各リールに対応して設けられた停止ボタンの停止操作により回転する各リールが停止し、停止した各リールに表された図柄で構成される図柄の組合せに基づき遊技価値を付与するスロットマシンであって、複数の抽せん対象から所定の抽せん確率に基づいてゲーム毎に内部抽せんを行い、抽せんされた当せん内容に対応した図柄の組合せを構成する図柄が停止操作のタイミングから所定の図柄コマ数内にある場合に、当せん内容に対応した図柄の組合せが停止表示されるように各リールを停止制御する停止制御手段と、通常遊技、ボーナス遊技、及び遊技媒体を投入することなく次回遊技可能となる再遊技役が高確率で抽せんされる再遊技頻出遊技を含む複数の遊技状態に移行させるとともに、前記再遊技頻出遊技において、特定の図柄の組合せが停止表示された場合に、当該再遊技頻出遊技以外の遊技状態に移行させるゲーム管理手段と、前記再遊技頻出遊技において抽せんされる抽せん対象であって、各々異なる抽せん確率で抽せんされ、対応する図柄の組合せが停止表示されることにより所定の遊技価値が付与される一般役と、前記一般役と当該一般役と異なる他の役に同時に当せんされる重複役と、が設定される抽せん対象設定手段と、を備え、前記一般役に対応する図柄の組合せを構成する各リールに表された図柄が、停止表示可能な前記図柄コマ数の最大値を超えない間隔をもって、各リールにおいて複数配置されるとともに、前記一般役に対応する図柄の組合せが停止表示される場合において、同時に前記特定の図柄の組合せが停止表示されるように各リールにおける図柄が配置され、前記停止制御手段が、前記一般役と前記重複役のいずれに当せんした場合においても、前記一般役に対応する図柄の組合せが停止表示されるように各リールを停止制御するとともに、前記一般役又は前記重複役のいずれかに当せんした場合に限り、前記一般役に対応する図柄の組合せと前記特定の図柄の組合せとが、同時に停止表示されるように各リールを停止制御する構成としてある。
【手続補正３】
【補正対象書類名】明細書
【補正対象項目名】００２３
【補正方法】変更
【補正の内容】
【００２３】
また、本発明のスロットマシンは、前記一般役に対応する図柄の組合せと前記特定の図柄の組合せとが、同時に停止表示される前記一般役又は重複役のいずれかに当せんした場合において、前記停止制御手段が、前記停止ボタンが所定の順番で停止操作されたときに限り、前記一般役に対応する図柄の組合せのみが停止表示されるように各リールを停止制御する構成とすることができる。
【手続補正４】
【補正対象書類名】明細書
【補正対象項目名】００２６
【補正方法】変更
【補正の内容】
【００２６】
また、本発明のスロットマシンは、前記一般役に当せんしたときに、当該一般役に対応した図柄の組合せと前記特定の図柄の組合せとが、同時に停止表示される場合において、前記一般役を前記停止ボタンに対応する数備え、前記停止制御手段が、前記各一般役に当せんしたときに、前記停止ボタンのうちの一般役毎に異なるあらかじめ定められた一の停止ボタンが最初に停止操作された場合に、当該一般役に対応した図柄の組合せのみが停止表示されるように各リールを停止制御するとともに、他の停止ボタンが最初に停止操作された場合に、当該一般役に対応した図柄の組合せと前記特定の図柄の組合せとが、同時に停止表示されるように各リールを停止制御する構成とすることができる。
【手続補正５】
【補正対象書類名】明細書
【補正対象項目名】００２９
【補正方法】変更
【補正の内容】
【００２９】
また、本発明のスロットマシンは、前記複数の一般役が抽せんされる抽せん確率が同値に設定される構成とすることができる。
このような構成とすることにより、リプレイタイムにおいて、いずれかの一般役に当せんし、一般役を特定せずに遊技者に報知し、遊技者が最初に停止操作する停止ボタンによって、リプレイタイムの終了か、継続かの成否を決定させるゲーム（停止ボタンが３つならば、三者択一ゲーム）を行う場合においても、各一般役が抽せんされる抽せん確率が同値であるため、選択される停止ボタンによって、特定図柄の組合せが停止表示される割合が偏るようなことがなくなり、停止ボタンの数に対応した見かけの確率通りに、特定図柄の組合せが停止表示される。
これにより、停止ボタンを選択するゲームの公平性を保つことができる。
【手続補正６】
【補正対象書類名】明細書
【補正対象項目名】００３０
【補正方法】変更
【補正の内容】
【００３０】
また、本発明のスロットマシンは、前記複数の一般役のいずれかに当せんした場合に、当該一般役に対応する最初に停止操作する前記あらかじめ定められた一の停止ボタンを報知する押し順報知手段を備える構成とすることができる。
このような構成とすることにより、リプレイタイムにおいて、いずれかの一般役に当せんした場合に、遊技者は、間違えることなく、当該一般役に対応する最初に停止操作すべき停止ボタンを選択することができ、リプレイタイムにおいて、リプレイタイムの終了を確実に回避させ、リプレイタイムを継続させることができる。